(57)【要約】【課題】  カメラのカメラボディの主要部を構成しているメインフレームの変形、振動が要因とされるピントずれを防止し、またカメラの作動音を低減する。【解決手段】  撮影レンズで結像した被写体像を撮像するＣＣＤブロック３０をミラーボックスブロック２０に取着し、ミラーボックスブロック２０はカメラボディの主体を構成するメインフレーム１０に緩衝支持部材１５により弾性支持する。外力によってメインフレーム１０が変形、振動された場合でも緩衝支持部材１５によって変形力や振動が吸収され、ミラーボックスブロック２０での変形や振動に伴うＣＣＤブロック３０でのピントずれが防止でき、高品質の撮像が可能になる。また、撮影時にミラーボックスブロック２０で発生する振動が緩衝支持部材１５によって吸収され、カメラ作動音を小さくする。【選択図】  図８
2005215014.tif 000002
【特許請求の範囲】
【請求項１】
撮影レンズが装着されるミラーボックスと、カメラボディの主体となるメインフレームに前記ミラーボックスを内装し、前記撮影レンズによる被写体像を撮像素子で撮像し、またはフィルムに撮影する結像するカメラにおいて、前記撮像素子又はフィルムは前記ミラーボックスに支持され、前記ミラーボックスは前記メインフレームに対し緩衝支持部材により弾性支持されていることを特徴とするカメラ。
【請求項２】
前記ミラーボックスには前記撮影レンズを装着するためのレンズマウントと、前記撮像素子での撮像動作を行うための各種機構とが一体的に設けられていることを特徴とする請求項１に記載のカメラ。
【請求項３】
前記メインフレームは光軸方向に垂直に向けられた背面板と、光軸方向に向けられた底板とを備え、前記ミラーボックスは前記背面板と底板のそれぞれ複数箇所において前記緩衝支持部材により支持されていることを特徴とする請求項１又は２に記載のカメラ。
【請求項４】
前記緩衝支持部材は、前記ミラーボックスとメインフレームとの間に介在される弾性部材と、前記弾性部材を前記ミラーボックスおよびメインフレームとの間で外れないように連結する手段とを備えることを特徴とする請求項１に記載のカメラ。
【請求項５】
前記弾性部材は周面において前記メインフレームに保持された円筒状のブッシュと、前記メインフレームの外面側から前記ブッシュの筒軸内を挿通し、前記メインフレームの内面側に配設された前記ミラーボックスに螺合されるネジとで構成されていることを特徴とする請求項４に記載のカメラ。
【請求項６】
前記撮像素子はＣＣＤ、ＣＭＯＳで構成されていることを特徴とする請求項１ないし５のいずれかに記載のカメラ。
【発明の詳細な説明】
【技術分野】
【０００１】
本発明はＣＣＤ等の撮像素子で撮像し、あるいはフィルムに露光して撮影を行うカメラに関し、特に外力によるミラーボックスの変形を防止したカメラに関するものである。
【背景技術】
【０００２】
近年のＣＣＤ等の撮像素子を備えるデジタルカメラ、あるいはフィルムに露光して撮影を行うカメラでは、小型化、軽量化を図るために、ステンレス等の剛性の高い材料でメインフレームを形成し、このメインフレームの前面側にアルミダイカストや樹脂成形品で製造されたミラーボックスを固定する構造が考えられている。このようなカメラをデジタルカメラに適用した場合には、メインフレームの背面側に撮像素子を固定する構造が採用されている。図１０（ａ）はその概略構成を示す図であり、別体あるいは一体に設けられたステンレス板からなる背面板１１１と底板１１２とで垂直断面がＬ字状をしたメインフレーム１１０を形成し、このメインフレーム１１０の上部領域にアルミダイカスト製のミラーボックスブロック１２０をネジ１３１により固定支持する。このミラーボックスブロック１２０はミラーボックス１２１にペンタプリズム１２３等の各種部品を搭載するとともに前面には図外の撮影レンズを着脱可能にしたレンズマウント１０２が設けられたものである。また、背面板１１１にはミラーボックスブロック１２０の内部を開口するアパーチャ１１１ａが設けられており、このアパーチャ１１１ａに臨む後面に撮像素子１３０が取着されている。このようにすることで、カメラボディ全体をアルミダイカストや樹脂で構成する場合に比較して強度を高める一方で小型化、軽量化が実現できる。このように、レンズを保持するハウジングに対して取付板を利用してＣＣＤ等の撮像素子を取着するカメラの構造は特許文献１に記載ものがある。
【特許文献１】特開２００３−６９８８６号公報
【発明の開示】
【発明が解決しようとする課題】
【０００３】
このような構成のデジタルカメラでは、通常メインフレーム１１０の底板１１２の下面を覆うカメラボディケースの下飾１１３が一体的に固定され、この下飾１１３の穴を通して前記底板１１２に三脚ネジ１１４が取着された構造がとられているが、デジタルカメラを三脚の雲台へ固定支持したときに、三脚ネジ１１４に生じる外力によって、図１０（ｂ）に鎖線で示すようにメインフレーム１１０の底板１１２に伝達される。メインフレーム１１０はステンレス板のように剛性の高い金属板で形成されており多少の外力によっては変形しないように設計されているが、三脚ネジを必要以上に締めつけたような場合の外力は無視できない程度の大きさであるため、メインフレーム１１０においても若干の変形が生じることは避けられない。
【０００４】
そのため、メインフレーム１１０の変形により背面板１１１が同図鎖線のように傾斜変形すると、これに取着されている撮像素子１３０の撮像面が光軸と垂直な面に対して傾斜してしまい撮像画像のピントずれが生じることになる。また、メインフレーム１１０の変形によりこれに固定支持されているミラーボックス１２１が変形される。ミラーボックス１２１はアルミダイカストやガラス繊維強化ポリカーボネイト等の樹脂のようにメインフレーム１１０に比較して剛性の低い材料で形成されているために変形され易く、その結果、ミラーボックスブロック１２０を構成しているレンズマウント１０２に位置変動が生じる。特に、前述したようにミラーボックスブロック１２０をメインフレーム１１０の底板１１２に固定している構造の場合には、同図に鎖線で示すように、底板１１２が変形することによってミラーボックスブロック１２０の下部側が撓むことになり、その結果レンズマウント１０２の前面が下方に傾斜し、カメラの光軸が下方に傾き、撮像素子１３０における撮像画像の一部にピントずれが生じてしまう。
【０００５】
また、逆に、ミラーボックスブロック１２０に配設されている図には示していないＡＦ駆動機構やミラー駆動シャッタチャージ機構等が撮像時に動作することによって振動が発生するが、この振動はミラーボックスブロック１２０からメインフレーム１１０に伝達され、メインフレーム１１０が共振してカメラボディから振動音が発生するためにカメラの作動音が大きくなるという問題もある。このような問題は、フィルムに露光を行って撮影を行うフィルムカメラにおいても、メインフレームの変形によってフィルムの感光面に歪みが生じピントずれが生じる。また、カメラの作動音が大きくなる。
【０００６】
本発明の目的は、メインフレームの変形、振動が要因とされるピントずれを防止し、また作動音を低減したカメラを提供するものである。
【課題を解決するための手段】
【０００７】
本発明は、撮影レンズが装着されるミラーボックスと、カメラボディの主体となるメインフレームにミラーボックスを内装し、撮影レンズによる被写体像を撮像素子で撮像し、またはフィルムに撮影する結像するカメラにおいて、撮像素子又はフィルムはミラーボックスに支持され、ミラーボックスは前記メインフレームに対し緩衝支持部材により弾性支持されていることを特徴とする。ここで、ミラーボックスには撮影レンズを装着するためのレンズマウントと、撮像素子での撮像動作を行うための各種機構とが一体的に設けられている。
【発明の効果】
【０００８】
本発明によれば、カメラボディに外力が加えられてメインフレームが変形され、あるいは振動された場合でも緩衝支持部材において変形力や振動が吸収されてミラーボックスにまで伝達されることがなく、ミラーボックスの変形、振動が抑制され、ミラーボックスの変形や振動に伴うピントずれやブレが防止でき、高品質の撮像が可能になる。また、撮影時にミラーボックスで発生する振動が緩衝支持部材によって吸収されてメインフレームに伝達することがなく、カメラ作動音を小さくすることが可能になる。
【発明を実施するための最良の形態】
【０００９】
本発明では、フレームは光軸方向に垂直に向けられた背面板と、光軸方向に向けられた底板とを備え、ミラーボックスは背面板と底板のそれぞれ複数箇所において緩衝支持部材により支持される構成とする。また、緩衝支持部材は、ミラーボックスとメインフレームとの間に介在される弾性部材と、弾性部材をミラーボックスおよびメインフレームとの間で外れないように連結する手段とを備える構成とする。例えば、弾性支持部材は周面においてメインフレームに保持された円筒状のブッシュと、メインフレームの外面側からブッシュの筒軸内を挿通し、メインフレームの内面側に配設されたミラーボックスに螺合されるネジとで構成される。
【実施例１】
【００１０】
次に、本発明の実施例を図面を参照して説明する。図１は本発明を一眼レフカメラ型のデジタルカメラに適用したカメラを右前方からみた概略外観図である。このデジタルカメラはカメラボディ１の前面に設けられたレンズマウント２に対して図には表れない撮影レンズが着脱可能に装着される。また、カメラボディ１の上部にはＬＣＤ表示部３、シャッタ釦４、各種スイッチ５が配設されている。また、カメラボディ１の底面には図１には表れないが三脚ネジが配設されており、図外の三脚台に固定支持することができるようになっている。
【００１１】
図２は前記カメラボディ１の内部構造体の主要部、特にメインフレーム、ミラーボックスブロック、及びＣＣＤブロックを含む部分の斜視図であり、図３はその一部を分解した斜視図である。メインフレーム１０はステンレス等の剛性の高い金属板からなる垂直に向けられた背面板１１と、この背面板１１の底縁に沿って水平に延長された底板１２と、さらに図には表れない左右の側板とをカシメ或いは溶接等により連結して一体に組み立てており、特に背面板１１と底板１２とは垂直方向にＬ字型に構成されている。ミラーボックスブロック２０の主体部を構成するミラーボックス２１はアルミダイカストあるいはガラス繊維強化ポリカーボネイト等の樹脂で概ね矩形の箱状に形成されており、その前面には前記レンズマウント２が一体的に設けられている。
【００１２】
図４は前記ミラーボックスブロックの一部を分解した斜視図、図５はミラーボックスブロック２０を背面方向からみた斜視図である。図２ないし図５に示すように、前記ミラーボックス２１内にはメインミラ２２ーが内装され、上部にはペンタプリズム２３と測光素子２４、及び接眼光学系２９が搭載され、下部にはＡＦ（自動焦点）モータ２５ａを含むＡＦ駆動機構２５が配設されている。また、背面にはシャッタ２６が配設され、左側面には絞り駆動機構２７、前記メインミラー２２を駆動するためのミラー・シャッタチャージモータ２８ａを含むミラー駆動・シャッタチャージ機構２８が配設され、それぞれネジ２５１，２６１，２８１により固定している。そして、これら各機構が装備された前記ミラーボックス２１は前述したようにミラーボックスブロック２０として構成され、前記メインフレーム１０の前記背面板１１の前面側の前記底板１２上に載置されるとともに、後述する緩衝支持部材１５によって複数箇所において前記背面板１１及び底板１２に支持されている。
【００１３】
また、図６に前記ミラーボックスブロック２０のほぼ左右中央位置での垂直断面図にも示すように、前記ミラーボックス２１の背面に配設された前記シャッタ２６の背後にはＣＣＤブロック３０が配置され、当該ミラーボックス２１の背面に固定状態に支持されている。前記ＣＣＤブロック３０はＣＣＤ基準板３１にＣＣＤチップ３２が搭載されており、図５に示すように、ＣＣＤチップ３２から背後に突出される電極３２ａがＣＣＤ基準板３１の開口溝３３を挿通されている。また、ＣＣＤ基準板３１にはＣＣＤチップ３２を接着固定するための接着剤注入口３４及びＣＣＤ基準板３１に対するＣＣＤチップ３２の撮像面の平行度を調整するための調整ネジ３５が配設されている。
【００１４】
図４に示すように、ＣＣＤブロック３０は前記ミラーボックス２１にシャッタ２６を固定するための前記ネジ２６１を利用してミラーボックス２１に一体的に固定支持しており、前記ＣＣＤ基準板３１とシャッタ２６との間に円筒状のスペーサ２６２を介挿し、前記ネジ２６１を前記ＣＣＤ基準板３１を挿通させ、前記スペーサ２６２を挿通させた上で前記ミラーボックス２１の背面に締結して固定を行っている。これにより、ＣＣＤブロック３０はシャッタ２６に対して光軸方向に所要の間隙を確保した状態でミラーボックス２１に一体的に支持されることになる。
【００１５】
また、図２に示すように前記メインフレーム１０の底板１２の下面側に前記カメラボディ１の下飾１３が一体的に固定されており、図３に示すように前記底板１２の下側に三脚ネジ１４が固定されている。この三脚ネジ１４は図外の三脚の雲台に設けられた固定ネジが螺合されるものであるが、既に広く知られているものであるのでここでは説明は省略する。
【００１６】
その上で、前記ミラーボックスブロック２０は前記背面板１１と底板１２にそれぞれ緩衝支持部材１５により支持されている。ここでは前記ミラーボックスブロック２０は背面の上下左右の４箇所において前記背面板１１に、また底面の前側左右２箇所において前記底板１２にそれぞれ前記緩衝支持部材１５により支持されている。図２を参照すると、前記緩衝支持部材１５は、ＡＡ線、ＢＢ線の各断面図を図７（ａ），（ｂ）に示すように、ゴム或いは比較的に軟らかい樹脂等によって円筒状に形成され、その長さ方向の中央の周面に環状の凹溝１５１ａが形成されたブッシュ１５１と、このブッシュ１５１を挿通されるブッシュよりも長いネジ１５２とで構成されている。
【００１７】
すなわち、図７（ａ）に示すように、背面板１１に開口された固定穴１１ａにブッシュ１５１が挿入される。ブッシュ１５１は周面の凹溝１５１ａが固定穴１１ａの内縁に嵌合される。そして、背面板１１の後側からブッシュ１５１の中心穴にネジ１５２を挿通し、その先端をミラーボックス２１の背面のネジ２１ａ穴に螺合して締結している。また、図７（ｂ）に示すように、底板１２に開口された固定穴１２ａにブッシュ１５１が挿入され、ブッシュの周面の凹溝１５１ａが当該固定穴１２ａの内縁に嵌合される。そして、底板１２の下側からブッシュ１５１にネジ１５２を挿通し、その先端部をミラーボックス２１の底面のネジ穴２１ｂに螺合して締結している。この支持構造により、図２に示したように、前記ミラーボックスブロック２０は、メインフレーム１０の背面板１１と底板１２に対してそれぞれ弾性変形が可能なブッシュによりメインフレーム１０に対して弾性支持されていることになる。
【００１８】
以上の構成の本実施例のデジタルカメラでは、カメラボディ１を三脚に支持べく三脚の固定ネジを三脚ネジ１４に螺合させると、その締結力によって三脚ネジ及びこれを固定している底板１２にまで外力が加えられる。本実施例の図２に示した構造を模式的に示すと図８（ａ）の図になる。この図において、三脚への固定によって底板１２に外力が加えられると、図８（ｂ）に鎖線で示すように底板１２が変形される。このとき外力がある程度小さいときには底板１２の剛性によって背面板１１が変形されることはない。ところが三脚ネジを通して加えられる外力が大きいときには、背面板１１においても変形が生じ、その結果、底板１２が撓み、背面板１１は傾斜する状態になる。
【００１９】
このようにしてメインフレーム１０に変形が生じるとこれに支持されているミラーボックスブロック２０も変形されようとするが、ミラーボックスブロック２０を支持している緩衝支持部材１５のブッシュ１５１が弾性変形することにより伝達されてきた外力が吸収されるためミラーボックスブロック２１にまで伝達されることはなく、ミラーボックスブロック２０の変形は防止される。これにより、ミラーボックスブロック２０の前面に固定されているレンズマウント２の前面が傾斜されることはなく、また、ミラーラーボックス２０の背面に固定されているＣＣＤブロック３０の撮像面が傾斜されることはない。これにより、レンズマウント２の前面及びＣＣＤブロックの撮像面がそれぞれ光軸と垂直な面に保持され、撮像面でのピントずれが生じることはなく、高品質の撮像が可能になる。
【００２０】
また、本実施例のデジタルカメラでは、カメラボディに振動や衝撃が加えられた場合に、メインフレーム１０が振動されることがあるが、この場合でもミラーボックスブロック２０をメインフレーム１０に支持している緩衝支持部材１５によって振動が吸収されるので、ミラーボックスブロック２０での振動は防止される。したがって、例えば、シャッタ釦を操作した撮影時にカメラボディが振動した場合でもミラーボックスブロック２０の振動が防止され、ＣＣＤブロック３０での撮像に際していわゆるブレが生じることが防止でき、高品質の撮像が可能になる。
【００２１】
また、逆に、ミラーボックスブロック２０に配設されているＡＦ駆動機構２５やミラー駆動シャッタチャージ機構２８での動作によって振動が発生するが、この振動は緩衝支持部材１５によって吸収されてメインフレーム１０にまで伝達することが防止される。そのため、メインフレーム１０が共振してカメラボディから振動音が発生するようなこともなく、静粛な撮像が可能になる。
【００２２】
前記実施例では、緩衝支持部材１５をブッシュと、これに挿通されるネジとで構成しているが、ブッシュに代えてスプリングを用いてもよい。例えば、図９（ａ）に示すように、ミラーボックスブロック２０とメインフレーム１０との間にコイルスプリング１５３を介挿し、このコイルスプリング１５３を挿通するネジ１５１によりミラーボックスブロック２０をメインフレーム１０に固定するとともに、コイルスプリング１５３の弾性変形によりミラーボックスブロック２０をメインフレーム１０に対して懸架状態に支持するようにすればよい。この構成ではメインフレーム１０に生じる変形や振動をコイルスプリング１５３の弾性変形により吸収し、ミラーボックスブロック２０における変形や振動を防止し、ピントの合った、またブレのない高品質の撮像が可能になる。なお、図示は省略するが、コイルスプリングに代えて板バネを利用してもよい。
【００２３】
あるいは、図９（ｂ）に示すように、両端に金属体１５４ａ，１５４ｂを一体的に接着ないし接合したゴムや樹脂等のブッシュ１５４をミラーボックスブロック２０とメインフレーム１０との間に介在させた上で、一方の金属体１５４ａをミラーボックスブロック２０にネジ１５５で固定し、他方の金属体１５４ｂをメインフレーム１０にネジ１５６で固定するようにしてもよい。
【００２４】
本発明にかかる撮像素子はＣＣＤに限られるものではなく、ＣＣＤ以外の他の固体撮像素子、例えばＣＭＯＳ撮像素子を用いるデジタルカメラについても本発明を同様に適用できることは言うまでもない。また、本発明はフィルムを用いるフィルムカメラにおいても、フィルムを支持したミラーボックスをメインフレームに対して同様な構成じて支持するようにすることで適用が可能である。
【図面の簡単な説明】
【００２５】
【図１】本発明をデジタルカメラに適用した実施例の外観図である。
【図２】内部構造体を右前方から見た要部の斜視図である。
【図３】メインフレームとミラーボックスブロックの分解斜視図である。
【図４】ミラーボックスブロックの部分分解斜視図である。
【図５】ミラーボックスブロックの背面斜視図である。
【図６】内部構造体の垂直断面構造を示す概略断面図である。
【図７】図３のＡＡ線、ＢＢ線に沿った緩衝支持部材の断面図である。
【図８】ピント合わせを確保する動作を説明するための模式図である。
【図９】緩衝支持部材の他の構成例の断面図である。
【図１０】従来のデジタルカメラでのピントずれを説明するための模式図である。
【符号の説明】
【００２６】
１  カメラボディ
２  レンズマウント
１０  メインフレーム
１１  背面板
１２  底板
１３  下飾
１４  三脚ネジ
１５  緩衝支持部材
２０  ミラーボックスブロック
２１  ミラーボックス
３０  ＣＣＤブロック
３１  ＣＣＤ基準板
３２  ＣＣＤチップ
１５１  ブッシュ
１５２  ネジ
１５３  スプリング
１５４  ブッシュ
【図１】
2005215014.tif 000003
【図２】
2005215014.tif 000004
【図３】
2005215014.tif 000005
【図４】
2005215014.tif 000006
【図５】
2005215014.tif 000007
【図６】
2005215014.tif 000008
【図７】
2005215014.tif 000009
【図８】
2005215014.tif 000010
【図９】
2005215014.tif 000011
【図１０】
2005215014.tif 000012
【手続補正書】
【提出日】平成17年3月3日(2005.3.3)
【手続補正１】
【補正対象書類名】明細書
【補正対象項目名】０００４
【補正方法】変更
【補正の内容】
【０００４】
そのため、メインフレーム１１０の変形により背面板１１１が同図鎖線のように傾斜変形すると、これに取着されている撮像素子１３０の撮像面が光軸と垂直な面に対して傾斜してしまい撮像画像のピントずれが生じることになる。また、メインフレーム１１０の変形によりこれに固定支持されているミラーボックス１２１が変形される。ミラーボックス１２１はアルミダイカストやガラス繊維強化ポリカーボネイト等の樹脂のようにメインフレーム１１０に比較して剛性の低い材料で形成されているために変形され易く、その結果、ミラーボックスブロック１２０を構成しているレンズマウント１０２に位置変動が生じる。特に、前述したようにミラーボックスブロック１２０をメインフレーム１１０の底板１１２に固定している構造の場合には、同図に鎖線で示すように、底板１１２が変形することによってミラーボックスブロック１２０の下部側が撓むことになり、その結果レンズマウント１０２の前面が上方に傾斜し、カメラの光軸が上方に傾き、撮像素子１３０における撮像画像の一部にピントずれが生じてしまう。
【手続補正２】
【補正対象書類名】明細書
【補正対象項目名】００１２
【補正方法】変更
【補正の内容】
【００１２】
図４は前記ミラーボックスブロックの一部を分解した斜視図、図５はミラーボックスブロック２０を背面方向からみた斜視図である。図２ないし図５に示すように、前記ミラーボックス２１内にはメインミラー２２が内装され、上部にはペンタプリズム２３と測光素子２４、及び接眼光学系２９が搭載され、下部にはＡＦ（自動焦点）モータ２５ａを含むＡＦ駆動機構２５が配設されている。また、背面にはシャッタ２６が配設され、左側面には絞り駆動機構２７、前記メインミラー２２を駆動するためのミラー・シャッタチャージモータ２８ａを含むミラー駆動・シャッタチャージ機構２８が配設され、それぞれネジ２５１，２６１，２８１により固定している。そして、これら各機構が装備された前記ミラーボックス２１は前述したようにミラーボックスブロック２０として構成され、前記メイ
ンフレーム１０の前記背面板１１の前面側の前記底板１２上に載置されるとともに、後述する緩衝支持部材１５によって複数箇所において前記背面板１１及び底板１２に支持されている。
【手続補正３】
【補正対象書類名】明細書
【補正対象項目名】００１８
【補正方法】変更
【補正の内容】
【００１８】
以上の構成の本実施例のデジタルカメラでは、カメラボディ１を三脚に支持する三脚の固定ネジを三脚ネジ１４に螺合させると、その締結力によって三脚ネジ及びこれを固定している底板１２にまで外力が加えられる。本実施例の図２に示した構造を模式的に示すと図８（ａ）の図になる。この図において、三脚への固定によって底板１２に外力が加えられると、図８（ｂ）に鎖線で示すように底板１２が変形される。このとき外力がある程度小さいときには底板１２の剛性によって背面板１１が変形されることはない。ところが三脚ネジを通して加えられる外力が大きいときには、背面板１１においても変形が生じ、その結果、底板１２が撓み、背面板１１は傾斜する状態になる。
【手続補正４】
【補正対象書類名】明細書
【補正対象項目名】００１９
【補正方法】変更
【補正の内容】
【００１９】
このようにしてメインフレーム１０に変形が生じるとこれに支持されているミラーボックスブロック２０も変形されようとするが、ミラーボックスブロック２０を支持している緩衝支持部材１５のブッシュ１５１が弾性変形することにより伝達されてきた外力が吸収されるためミラーボックスブロック２１にまで伝達されることはなく、ミラーボックスブロック２０の変形は防止される。これにより、ミラーボックスブロック２０の前面に固定されているレンズマウント２の前面が傾斜されることはなく、また、ミラーボックス２０の背面に固定されているＣＣＤブロック３０の撮像面が傾斜されることはない。これにより、レンズマウント２の前面及びＣＣＤブロックの撮像面がそれぞれ光軸と垂直な面に保持され、撮像面でのピントずれが生じることはなく、高品質の撮像が可能になる。
【手続補正５】
【補正対象書類名】図面
【補正対象項目名】図１０
【補正方法】変更
【補正の内容】
【図１０】
2005215014.tif 000013